(57)【要約】  【課題】  足場板を分割構成した折り畳み式作業足場において、足場設置時や撤去時の作業性に優れた折り畳み式作業足場を提供する。  【解決手段】  対向配置した一対の脚体２ａ、２ｂの脚柱５同士を伸縮自在なパンタグラフ状の筋交い３にて連結し、この筋交い３の伸縮方向の略中央部に中間支柱１５を備えると共に、各脚体２ａ、２ｂ間には長手方向の略中央部で二分割した足場板４ａ、４ｂを架設し、これら各足場板４ａ、４ｂの基端部をそれぞれ中間支柱１５の上端部に軸着して山折りに折り畳み可能に構成する。そして、作業足場１を設置するときには水平に展開させた各足場板４ａ、４ｂの遊端部側を筋交い３拡張時の各脚体２ａ、２ｂ上端部にて支持する一方、作業足場１を撤去するときには筋交い３を収縮させて近接させた各脚体２ａ、２ｂを、山折りに折り畳まれる各足場板４ａ、４ｂにて両側から挟み込んで収納するようにした。【選択図】  図１
2011052474.tif 000002
【特許請求の範囲】
【請求項１】
下端部にキャスターを備えた二本の脚柱を横架材にて連結して脚体を形成し、該脚体を一対対向配置して各脚体の脚柱同士を伸縮自在なパンタグラフ状の筋交いにて連結し、前記脚体間に足場板を架設して成る折り畳み式作業足場であって、前記筋交いの伸縮方向の略中央部に中間支柱を備えると共に、前記足場板は長手方向の略中央部で二分割し、かつこれら各足場板の基端部をそれぞれ前記中間支柱の上端部に軸着して山折りに折り畳み可能に構成し、作業足場設置時には水平に展開させた各足場板の遊端部側を筋交い拡張時の各脚体上端部にて支持する一方、作業足場撤去時には筋交いを収縮させて近接させた各脚体を山折りに折り畳まれる各足場板にて両側から挟み込んで収納するようにしたことを特徴とする折り畳み式作業足場。
【発明の詳細な説明】
【技術分野】
【０００１】
本発明は、内装工事や小規模の建築工事現場などで使用される折り畳み可能な作業足場に関する。
【背景技術】
【０００２】
従来、内装工事や小規模の建築工事現場などにおいては、設置及び撤去作業が容易で、搬送や保管性などにも優れる折り畳み式の作業足場が広く一般的に採用されている。この折り畳み式作業足場は、例えば、下端部に移動用のキャスターを備えた脚柱を二本並設し、これら各脚柱同士を横架材にて連結して枠状の脚体を形成すると共に、この脚体を一対対向配置して各脚体の脚柱同士を伸縮自在なパンタグラフ状の筋交いにて連結して成り、設置時にはこのパンタグラフ状の筋交いを拡張させた状態で各脚体の横架材間に足場板を架設して作業足場とする一方、撤去時には架設した足場板を取り外した後、パンタグラフ状の筋交いを折り畳むことでコンパクトに収納可能としたものであって、例えば、特許文献１〜３に示されるようなものが公知である。
【０００３】
また、本出願人も同様の折り畳み式の作業足場を既に出願済みであり（特許文献４）、この発明に係る折り畳み式作業足場では、作業足場に架設される足場板を長手方向の略中央部で二分割し、かつこれら各足場板の基端部をそれぞれ左右各脚体の上端部に回動自在に軸着して成り、作業足場撤去時には水平支持された各足場板をそれぞれ基端部を中心として回動させて各脚体に沿わせるように垂下させて収納するようにしており、収納時の嵩スペースを上記特許文献１〜３に示される従来方式のものよりも比較的コンパクトに抑えられる構成としている。
【先行技術文献】
【特許文献】
【０００４】
【特許文献１】実公平３−１４５１６号公報
【特許文献２】実公平４−１２４４号公報
【特許文献３】実公平６−３６１６６号公報
【特許文献４】特開２００９−１２１１００号公報
【発明の概要】
【発明が解決しようとする課題】
【０００５】
しかしながら、上記特許文献４の折り畳み式作業足場では、作業足場の設置時や撤去時に各足場板を回動させる際、各足場板の遊端部側を脚体上端部よりも更に大きく振り上げていくような操作を伴うため、床上にいながら手を上に伸ばすようにして作業を行う作業員にとってはあまり作業性のよいものではなく、特に高所作業用として脚体上端部までの高さが比較的高いタイプの脚体を採用した場合などには作業員の手が十分に届きにくい状況も起こり得、作業効率や作業安全性の低下が懸念される。
【０００６】
本発明は上記の点に鑑み、足場板を分割構成した折り畳み式作業足場において、足場設置時や撤去時の作業効率や作業安全性に優れた折り畳み式作業足場を提供することを課題とする。
【課題を解決するための手段】
【０００７】
上記の課題を解決するために、本発明に係る折り畳み式作業足場では、下端部にキャスターを備えた二本の脚柱を横架材にて連結して脚体を形成し、該脚体を一対対向配置して各脚体の脚柱同士を伸縮自在なパンタグラフ状の筋交いにて連結し、前記脚体間に足場板を架設して成る折り畳み式作業足場であって、前記筋交いの伸縮方向の略中央部に中間支柱を備えると共に、前記足場板は長手方向の略中央部で二分割し、かつこれら各足場板の基端部をそれぞれ前記中間支柱の上端部に軸着して山折りに折り畳み可能に構成し、作業足場設置時には水平に展開させた各足場板の遊端部側を筋交い拡張時の各脚体上端部にて支持する一方、作業足場撤去時には筋交いを収縮させて近接させた各脚体を山折りに折り畳まれる各足場板にて両側から挟み込んで収納するようにしたことを特徴としている。
【発明の効果】
【０００８】
本発明に係る折り畳み式作業足場によれば、下端部にキャスターを備えた二本の脚柱を横架材にて連結して脚体を形成し、該脚体を一対対向配置して各脚体の脚柱同士を伸縮自在なパンタグラフ状の筋交いにて連結し、前記脚体間に足場板を架設して成る折り畳み式作業足場であって、前記筋交いの伸縮方向の略中央部に中間支柱を備えると共に、前記足場板は長手方向の略中央部で二分割し、かつこれら各足場板の基端部をそれぞれ前記中間支柱の上端部に軸着して山折りに折り畳み可能に構成し、作業足場設置時には水平に展開させた各足場板の遊端部側を筋交い拡張時の各脚体上端部にて支持する一方、作業足場撤去時には筋交いを収縮させて近接させた各脚体を山折りに折り畳まれる各足場板にて両側から挟み込んで収納するようにしたので、作業足場設置時や撤去時における各足場板の回動操作を脚体上端部付近よりも下位側の比較的低い範囲で行え、床上にいながら手を上に伸ばすようにして作業を行う作業員にとっても十分に余裕を持って容易に作業を行うことができ、作業効率や作業安全性の向上が期待できる。
【図面の簡単な説明】
【０００９】
【図１】本発明に係る折り畳み式作業足場の一実施例を示す正面図である。
【図２】図１の平面図である。
【図３】図１の側面図である。
【図４】作業足場を折り畳んだ状態を示す、図１に相当する図である。
【図５】作業足場の折り畳み・展開操作を説明する図である。
【発明を実施するための形態】
【００１０】
本発明に係る折り畳み式作業足場によれば、対向配置した一対の脚体を連結するパンタグラフ状の筋交いの伸縮方向の略中央部に中間支柱を備えると共に、各脚体間に架設する足場板を長手方向の略中央部で二分割し、かつこれら各足場板の基端部をそれぞれ前記中間支柱の上端部に軸着して山折りに折り畳み可能に構成する。
【００１１】
そして、作業足場設置時には、各足場板を水平に展開させた後、パンタグラフ状の筋交いを拡張させながら各脚体を所定間隔まで引き離し、これら各脚体上端部にて水平に展開させた前記各足場板の遊端部側を支持させて設置作業を完了する。一方、作業足場撤去時には、筋交いを収縮させながら各脚体を近接させると共に、水平に展開された各足場板を山折りに折り畳んで、近接させた前記脚体を両側から挟み込むように収納して撤去作業を完了する。
【００１２】
このとき、各足場板は、展開時、或いは折り畳み時にかかわらず、常に脚体上端部付近よりも下位側の比較的低い範囲で回動操作させる構成としているため、床上にいながら手を上に伸ばすようにして作業を行う作業員にとっても十分に余裕を持って容易に作業を行え、例え高所作業用として脚体上端部までの高さが比較的高いタイプの脚体を採用した場合でも作業足場の設置・撤去作業を効率よくかつ安全に実施できる。
【００１３】
このように、上記折り畳み式作業足場は、脚体間に架設される足場板を長手方向の略中央部にて二分割し、その中央部分を中心として山折りに折り畳んで収納させるようにしたので、折り畳んだときの嵩スペースが抑えられて運搬性や保管性に優れると共に、設置或いは撤去作業時の作業高さを低く抑えられて作業効率及び作業安全性の向上が期待できる。
【実施例】
【００１４】
以下、本発明の実施例を図面に基づいて説明する。
【００１５】
１は本発明に係る折り畳み式作業足場であって、対向配置した一対の脚体２ａ、２ｂと、それらを連結する伸縮自在なパンタグラフ状の筋交い３、及び各脚体２ａ、２ｂ間に架設され、その長手方向の略中央部で二分割した足場板４ａ、４ｂとから主体を構成している。
【００１６】
前記脚体２ａ、２ｂは、二本の脚柱５を平行に立設し、これら各脚柱５を複数の横架材６にて連結して枠状に形成している。また、前記脚柱５は外管７と、その内部に下方より摺動自在に嵌入した内管８とから成り、図５（ａ）中の矢印Ａで示すように、内管８に対して外管７を適宜高さ位置で固定ピン等にて固定することによって脚体２ａ、２ｂの高さ調節を可能としている。また、前記外管７の下部側には、丸孔を穿設した係止片９を突設していると共に、外管７の中間部から上部側に亘り、外管７の長手方向に沿って適宜長さの長孔１０を穿設したガイド片１１を突設している一方、内管８の下端部には移動用のキャスター１２を備えている。
【００１７】
筋交い３は、多数のリンク材１３をそれぞれ交差させ、連結ピンにて回動自在に軸着して連結することによって伸縮自在としたパンタグラフ状のものであり、その両端部において上位側となるリンク材１３端部には、前記ガイド片１１の長孔１０の溝幅より若干小径の摺動ピン１４を固着している一方、下位側となるリンク材１３端部には係止片９の丸孔と略同径のピン孔を穿設している。
【００１８】
そして、対向配置した一対の脚体２ａ、２ｂの脚柱５間に前記筋交い３を配置し、筋交い３端部のピン孔を係止片９の丸孔位置に合わせて連結ピンを挿入して軸着する一方、筋交い３端部の摺動ピン１４をガイド片１１の長孔１０内に嵌合する。このように構成することにより、図５（ｃ）中の矢印Ｂで示すように、各脚体２ａ、２ｂを離反させたり近接させたりするのに応じて摺動ピン１４が長孔１０内を摺動し、筋交い３を伸縮可能としている。
【００１９】
また、前記各筋交い３の伸縮方向の略中央部にはそれぞれ中間支柱１５を備えていると共に、これら一対の中間支柱１５の上端部には横架材１６を架設して連結している。前記中間支柱１５は、外管１７とその内部に下方より摺動自在に嵌入した内管１８とから成り、該内管１８の下端部を筋交い３の下位側連結部へ連結ピンにて軸着している一方、外管１７の中間部を筋交い３の上位側連結部へ連結ピンにて軸着しており、図５（ｃ）中の矢印Ｃで示すように、筋交い３の伸縮に応じて中間支柱１５が上下方向へ伸縮し、筋交い３の伸縮を妨げないような構成としている。
【００２０】
前記脚体２ａ、２ｂ間に架設される足場板４ａ、４ｂは、その長手方向の略中央部で二分割しており、各足場板４ａ、４ｂの長さは筋交い３を拡張しきったときの各脚体２ａ、２ｂの間隔に対して略半分の長さとしていると共に、これら各足場板４ａ、４ｂの近接する基端部をそれぞれ前記中間支柱１５の上端部付近に軸体１９にて軸着しており、図５（ｃ）中の矢印Ｄで示すように、中間支柱１５の上端部を中心として山折りに折り畳み可能に構成している。
【００２１】
そして、足場設置時には、各足場板４ａ、４ｂは、図１〜図３に示すように、水平に展開され、これら各足場板４ａ、４ｂの遊端部側を筋交い３拡張時の各脚体２ａ、２ｂ上端部にて支持するようにしている一方、足場撤去時には、各足場板４ａ、４ｂは、図４に示すように、山折りに折り畳まれ、筋交い３を収縮させて近接させた状態の各脚体２ａ、２ｂを両側から挟み込んで収納するようにしている。
【００２２】
また、各足場板４ａ、４ｂの上面隅部には複数の透孔２０を穿設していると共に、足場板４ａ、４ｂ展開時に前記透孔２０の下位にあたる、脚体２ａ、２ｂの上端部には手摺材立設用の支持管２１を備えており、足場設置時には、必要に応じて手摺材の下端部を前記透孔２０を介して支持管２１に嵌入させることにより、足場板４ａ、４ｂ周囲に手摺材（図示せず）を立設可能としている。
【００２３】
また、筋交い３と脚柱５とを振れ止め材２２にて連結しており、該振れ止め材２２は、外管２３とその内部に摺動自在に嵌入した内管２４とから成り、適宜長さに調節可能としている。
【００２４】
そして、上記構成の作業足場１を作業現場に設置するときには、図５の（ｄ）→（ｃ）→（ｂ）→（ａ）の順に作業を進めていく。先ず、折り畳んだ状態の作業足場１の両側に位置する各足場板４ａ、４ｂを、それぞれ基端部を中心として遊端部側を上方へ引き上げるように回動させていき、各足場板４ａ、４ｂを水平に展開させる。続いて、パンタグラフ状の筋交い３を拡張させながら各脚体２ａ、２ｂを左右に引き離していき、所定間隔引き離し終えた状態で水平に展開させた各足場板４ａ、４ｂの遊端部側を脚体２ａ、２ｂ上端部にて支持させ、固定ピンなどで固定する。そして、作業現場の高さに応じ、脚体２ａ、２ｂの高さ調整を適宜行うと共に、必要に応じて足場板４ａ、４ｂ周囲に手摺材（図示せず）を取り付けて設置作業を完了する。
【００２５】
一方、作業足場１を現場から撤去するときには、図５の（ａ）→（ｂ）→（ｃ）→（ｄ）の順に作業を進めていく。先ず、設置状態にある作業足場１から手摺材を取り外し、脚体２ａ、２ｂ高さを最低位置まで引き下げる。続いて、足場板４ａ、４ｂと脚体２ａ、２ｂとの固定を解除した後、パンタグラフ状の筋交い３を収縮させながら各脚体２ａ、２ｂを近接させると共に、水平に展開された足場板４ａ、４ｂを山折りに折り畳み、近接させた前記各脚体２ａ、２ｂを両側から挟み込むようにしてコンパクトに収納させ、最後に拘束用の固定ピンなどで固定して撤去作業を完了する。
【００２６】
このとき、各足場板４ａ、４ｂは、図５からも分かるように、その展開時、或いは折り畳み時にかかわらず、常に脚体２ａ、２ｂ上端部付近よりも下位側の比較的低い範囲で回動操作させる構成としているため、床上にいながら手を上に伸ばすようにして上記作業を行う作業員にとっても十分に余裕を持って作業を行え、作業足場１の設置・撤去作業を効率よくかつ安全に実施できる。
【００２７】
このように、上記折り畳み式作業足場は、長手方向の略中央部で二分割し、その中央部分を中心として山折りに折り畳み可能に構成したので、折り畳み時の嵩スペースを抑えて運搬性・保管性の向上を図れると共に、設置・撤去作業時の作業高さを作業員が余裕を持って作業が行える程度に低く抑えられ、作業効率及び作業安全性の向上が期待できる。
【００２８】
また、パンタグラフ状の筋交い３を収縮させて各脚体２ａ、２ｂを近接させる一方、山折りに折り畳まれる二枚の足場板４ａ、４ｂにて前記各脚体２ａ、２ｂを両側から挟み込んで収納させるようにしたので、例えば設置作業時などにおいて、各脚体２ａ、２ｂの拘束を解除した途端にパンタグラフ状の筋交い３が勝手に拡張して各脚体２ａ、２ｂが勢いよく左右に展開してしまうような不測の事態を、左右に配される二枚の足場板４ａ、４ｂによって確実に回避でき、作業安全上有利である。
【符号の説明】
【００２９】
１…折り畳み式作業足場          ２ａ、２ｂ…脚体
３…筋交い                      ４ａ、４ｂ…足場板
５…脚柱                        ６…横架材
１２…キャスター                １５…中間支柱
１９…中間支柱
【図１】
2011052474.tif 000003
【図２】
2011052474.tif 000004
【図３】
2011052474.tif 000005
【図４】
2011052474.tif 000006
【図５】
2011052474.tif 000007